【手続補正書】
【提出日】平成27年10月2日(2015.10.2)
【手続補正１】
【補正対象書類名】特許請求の範囲
【補正対象項目名】全文
【補正方法】変更
【補正の内容】
【特許請求の範囲】
【請求項１】
アナログバスと結合されている複数のポートと、
前記アナログバスと結合されているアナログ／デジタルコンバータであって、前記アナログ／デジタルコンバータは、主サンプルホールドキャパシタを備えている、アナログ／デジタルコンバータと、
前記主サンプルホールドキャパシタと並列にプログラム可能に結合されることができる複数の追加のサンプルホールドキャパシタと
を備えている、マイクロコントローラ。
【請求項２】
前記追加のサンプルホールドキャパシタを前記主サンプルホールドキャパシタと並列に結合するための複数のスイッチを制御するレジスタをさらに備えている、請求項１に記載のマイクロコントローラ。
【請求項３】
前記マイクロコントローラの外部ポートを通して前記アナログバスと結合されている外部センサのキャパシタンスを自動的に測定するためのプログラマブル制御ユニットをさらに備えている、請求項１に記載のマイクロコントローラ。
【請求項４】
前記マイクロコントローラは、前記外部センサの測定された値を記憶し、前記外部センサが、測定のために前記アナログ／デジタルコンバータに結合されると、前記追加のサンプルホールドキャパシタのうちの１つ以上のキャパシタンスを前記主サンプルホールドキャパシタのキャパシタンスに自動的に追加するように構成されている、請求項３に記載のマイクロコントローラ。
【請求項５】
アナログバスと結合されているアナログ／デジタルコンバータであって、前記アナログ／デジタルコンバータは、主サンプルホールドキャパシタを備えている、アナログ／デジタルコンバータと、
前記主サンプルホールドキャパシタと並列にプログラム可能に結合されることができる複数の追加のサンプルホールドキャパシタと
を備えている、ＡＤＣモジュール。
【請求項６】
前記追加のサンプルホールドキャパシタを前記主サンプルホールドキャパシタと並列に結合するための複数のスイッチを制御するレジスタをさらに備えている、請求項５に記載のＡＤＣモジュール。
【請求項７】
前記アナログバスと結合されている外部センサのキャパシタンスを自動的に測定するためのプログラマブル制御ユニットをさらに備えている、請求項５に記載のＡＤＣモジュール。
【請求項８】
前記プログラマブル制御ユニットは、前記外部センサの測定された値を記憶し、前記外部センサが、測定のために前記アナログ／デジタルコンバータに結合されると、前記追加のサンプルホールドキャパシタのうちの１つ以上のキャパシタンスを前記主サンプルホールドキャパシタのキャパシタンスに自動的に追加するようにさらに構成されている、請求項７に記載のＡＤＣモジュール。
【請求項９】
アナログバスと結合されている複数のポートを提供することと、
前記アナログバスと結合されているアナログ／デジタルコンバータを提供することであって、前記アナログ／デジタルコンバータは、主サンプルホールドキャパシタを備えている、ことと、
前記主サンプルホールドキャパシタと並列にプログラム可能に結合されることができる複数の追加のサンプルホールドキャパシタを提供することと
を含む、方法。
【請求項１０】
前記追加のサンプルホールドキャパシタを前記主サンプルホールドキャパシタと並列に結合するための複数のスイッチを制御するレジスタを提供することをさらに含む、請求項９に記載の方法。
【請求項１１】
前記アナログバスと結合されている外部センサのキャパシタンスを自動的に測定するためのプログラマブル制御ユニットを提供することをさらに含む、請求項９に記載の方法。
【請求項１２】
前記外部センサの測定された値を記憶し、前記追加のサンプルホールドキャパシタのうちの１つ以上のキャパシタンスを前記主サンプルホールドキャパシタのキャパシタンスに自動的に追加することをさらに含む、請求項１１に記載の方法。
【手続補正２】
【補正対象書類名】明細書
【補正対象項目名】０００８
【補正方法】変更
【補正の内容】
【０００８】
いくつかの実施形態による方法は、アナログバスと結合されている複数のポートを提供することと、アナログバスと結合されているアナログ／デジタルコンバータを提供することであって、アナログ／デジタルコンバータは、主サンプルホールドキャパシタを備えている、ことと、主サンプルホールドキャパシタンスと並列にプログラム可能に結合されることができる複数の追加のサンプルホールドキャパシタンスを提供することとを含む。
本願明細書は、例えば、以下の項目も提供する。
（項目１）
アナログバスと結合されている複数のポートと、
前記アナログバスと結合されているアナログ／デジタルコンバータであって、前記アナログ／デジタルコンバータは、主サンプルホールドキャパシタを備えている、アナログ／デジタルコンバータと、
前記主サンプルホールドキャパシタンスと並列にプログラム可能に結合されることができる複数の追加のサンプルホールドキャパシタンスと
を備えている、マイクロコントローラ。
（項目２）
前記追加のサンプルホールドキャパシタンスを前記主サンプルホールドキャパシタンスと並列に結合するための複数のスイッチを制御するレジスタをさらに備えている、項目１に記載のマイクロコントローラ。
（項目３）
前記マイクロコントローラの外部ポートを通して前記アナログバスと結合されている外部センサのキャパシタンスを自動的に測定するためのプログラマブル制御ユニットをさらに備えている、項目１に記載のマイクロコントローラ。
（項目４）
前記マイクロコントローラは、前記外部センサの測定された値を記憶し、前記外部センサが、測定のために前記ＡＤＣに結合されると、前記追加のサンプルホールドキャパシタンスのうちの１つ以上を前記主サンプルホールドキャパシタンスに自動的に追加するように構成されている、項目３に記載のマイクロコントローラ。
（項目５）
アナログバスと結合されているアナログ／デジタルコンバータであって、前記アナログ／デジタルコンバータは、主サンプルホールドキャパシタを備えている、アナログ／デジタルコンバータと、
前記主サンプルホールドキャパシタンスと並列にプログラム可能に結合されることができる複数の追加のサンプルホールドキャパシタンスと
を備えている、ＡＤＣモジュール。
（項目６）
前記追加のサンプルホールドキャパシタンスを前記主サンプルホールドキャパシタンスと並列に結合するための複数のスイッチを制御するレジスタをさらに備えている、項目１に記載のＡＤＣモジュール。
（項目７）
前記マイクロコントローラの外部ポートを通して前記アナログバスと結合されている外部センサのキャパシタンスを自動的に測定するためのプログラマブル制御ユニットをさらに備えている、項目１に記載のＡＤＣモジュール。
（項目８）
前記マイクロコントローラは、前記外部センサの測定された値を記憶し、前記外部センサが、測定のために前記ＡＤＣに結合されると、前記追加のサンプルホールドキャパシタンスのうちの１つ以上を前記主サンプルホールドキャパシタンスに自動的に追加するように構成されている、項目４に記載のＡＤＣモジュール。
（項目９）
アナログバスと結合されている複数のポートを提供することと、
前記アナログバスと結合されているアナログ／デジタルコンバータを提供することであって、前記アナログ／デジタルコンバータは、主サンプルホールドキャパシタを備えている、ことと、
前記主サンプルホールドキャパシタンスと並列にプログラム可能に結合されることができる複数の追加のサンプルホールドキャパシタンスを提供することと
を含む、方法。
（項目１０）
前記追加のサンプルホールドキャパシタンスを前記主サンプルホールドキャパシタンスと並列に結合するための複数のスイッチを制御するレジスタを提供することをさらに含む、項目１に記載の方法。
（項目１１）
前記マイクロコントローラの外部ポートを通して前記アナログバスと結合されている外部センサのキャパシタンスを自動的に測定するためのプログラマブル制御ユニットを提供することをさらに含む、項目１に記載の方法。
（項目１２）
前記マイクロコントローラは、前記外部センサの測定された値を記憶し、前記外部センサが、測定のために前記ＡＤＣに結合されると、前記追加のサンプルホールドキャパシタンスのうちの１つ以上を前記主サンプルホールドキャパシタンスに自動的に追加するように構成されている、項目３に記載の方法。